【手続補正書】
【提出日】平成16年4月19日(2004.4.19)
【手続補正１】
【補正対象書類名】明細書
【補正対象項目名】特許請求の範囲
【補正方法】変更
【補正の内容】
【特許請求の範囲】
【請求項１】
最大像高に向かう主光線を光軸に対して外向きに傾斜させる対物レンズ系と、多数の画素が配列されて構成された受光面を有し該受光面の中心部から離れる程該受光面に垂直に入射する光束よりも光軸に対して外向きに傾斜して該受光面に入射する光束に対して大きな出力を発生させる固体撮像素子と、が備えられていることを特徴とする電子内視鏡。
【請求項２】
最大像高に向かう主光線を光軸に対して外向きに傾斜させる複数の対物レンズ系と、多数の画素が配列されて構成された受光面を有し前記複数の対物レンズ系により形成された像を１つの受光面で受けるように構成された固体撮像素子とを備え、該固体撮像素子をその受光面上に結像する前記各対物レンズ系の像の中心部から離れた部分程、該受光面に垂直に入射する光束よりも光軸に対して外向きに傾斜して該受光面に入射する光束に対して大きな出力を発生させ得るようにしたことを特徴とする電子内視鏡。
【請求項３】
対物レンズ系と、該対物レンズ系の視野の中心よりもその周辺部の照度が低くなるような配向特性を備えた照明光学系と、受光面に一様な強度の光が入射したとき中心部よりもその周辺部の画素の方が大きな出力を発生させる固体撮像素子と、が備えられていることを特徴とする電子内視鏡。
【請求項４】
上記対物レンズ系の画角は１００°以上であることを特徴とする請求項１に記載の電子内視鏡。
【請求項５】
上記対物レンズ系を構成する各レンズ成分の口径の最大値は上記固体撮像素子の短辺の長さよりも小さくなるようにしたことを特徴とする請求項１に記載の電子内視鏡。
【請求項６】
上記対物レンズ系の最大像高に向かう光束に対する開口効率が１より小さくなっていることを特徴とする請求項１に記載の電子内視鏡。
【請求項７】
上記対物レンズ系は３枚以下のレンズからなることを特徴とする請求項１に記載の電子内視鏡。
【請求項８】
上記対物レンズ系の前端から上記固体撮像素子の受光面に至るまでの光路中に反射プリズムが配置され、上記固体撮像素子は内視鏡挿入部の長手方向に水平に配置されていることを特徴とする請求項１に記載の電子内視鏡。
【請求項９】
上記反射プリズムの入射面，射出面，反射面のうち少なくとも１つが光学パワーを備えていることを特徴とする請求項８に記載の電子内視鏡。
【請求項１０】
上記反射プリズムの入射面又は射出面に光学パワーを備えた光学素子が接合されていることを特徴する請求項８に記載の電子内視鏡。
【請求項１１】
先端部が対物レンズ系の入射窓の近傍を最高点とする山形に形成され、照明系がその対物レンズ系の入射窓の周りに少なくとも２つの射出窓を有しており、各射出窓の内側にライトガイドファイバ束が上記対物レンズ系に沿って凸状に湾曲して配設されていることを特徴とする請求項１に記載の電子内視鏡。
【請求項１２】
上記対物レンズ系は偏心したレンズを含み、上記固体撮像素子は受光面の中央部においてその受光面に垂直に入射する光束よりも受光面に対して傾斜して入射する光束に対して大きな出力を生じるように構成されていることを特徴とする請求項１に記載の電子内視鏡。
【請求項１３】
上記固体撮像素子は各画素の光の入射側に各々集光部材を備えており、これら集光部材の集光能力が上記固体撮像素子に投影される物体像の中央部から周辺部にいくに従って徐々に大きくなるようにしたことを特徴とする請求項１乃至３の何れかに記載の電子内視鏡。
【請求項１４】
上記固体撮像素子は各画素の光の入射側に各々マイクロレンズを備えており、これらマイクロレンズの光軸と各画素の中心との変位がその固体撮像素子に投影される物体像の中央部から周辺部にいくに従って徐々に大きくなるようにしたことを特徴とする請求項１乃至３の何れかに記載の電子内視鏡。
【請求項１５】
上記固体撮像素子は各画素の光の入射側に各々マイクロレンズを備えており、これらマイクロレンズの口径がその固体撮像素子に投影される物体像の中央部から周辺部にいくに従って徐々に大きくなるようにしたことを特徴とする請求項１乃至３の何れかに記載の電子内視鏡。
【請求項１６】
上記固体撮像素子は各画素の光の入射側に各々マイクロレンズを備えており、これらマイクロレンズの光軸と各画素の中心とが固体撮像素子に投影される物体像の中央部において変位しており、この変位は固体撮像素子の一方の側へ行くほど大きく他方へ行く程小さくなっていることを特徴とする請求項１２に記載の電子内視鏡。
【請求項１７】
上記対物レンズ系は屈折力を有するレンズが３枚以下あるいは３群以下であって、次の条件式を満足することを特徴とする請求項１に記載の電子内視鏡。
１．５＜Ｌ／ｆ＜４
Ｌ：射出瞳位置から像面までの空気換算長
ｆ：焦点距離
【請求項１８】
次の条件式を満足することを特徴とする請求項１７に記載の電子内視鏡。
Ｌ′／ｆ＜１．５
Ｌ′：射出瞳位置から明るさ絞りまでの空気換算長
ｆ：焦点距離
【請求項１９】
上記対物レンズ系は物体側から順に第１レンズと第２レンズと第３レンズ群とからなり、第３レンズ群は接合レンズであって、その接合面は像側に凸であることを特徴とする請求項１に記載の電子内視鏡。
【請求項２０】
ＣＣＤカバーガラスにレンズ又は平行平面板が接着されていて、次の条件式を満足することを特徴とする請求項１に記載の電子内視鏡。
φ／２＜１．２×ＩＨ
φ：ＣＣＤカバーガラスに接着したレンズまたは平行平面板の外径
ＩＨ：最大像高
【請求項２１】
対物レンズ系と、該対物レンズ系により形成された像を受光面で受けるように構成された固体撮像素子と、を含む電子内視鏡において、前記固体撮像素子は複数の感光体が配列されてなり、前記対物レンズ系の光軸上に配置された感光体を中心に、周辺部に配置された感光体ほど感度が高いことを特徴とする電子内視鏡。
【手続補正２】
【補正対象書類名】明細書
【補正対象項目名】００１４
【補正方法】変更
【補正の内容】
【００１４】
請求項３に記載の発明によれば、電子内視鏡は、対物レンズ系と、この対物レンズ系の視野の中心よりもその周辺部の照度が低くなるような配向特性を備えた照明光学系と、受光面に一様な強度の光が入射したとき中心部よりもその周辺部の画素の方が大きな出力を発生させる固体撮像素子と、が備えられている。
請求項４に記載の発明によれば、電子内視鏡は、上記対物レンズ系の画角は１００°以上であることを特徴としている。
請求項５に記載の発明によれば、電子内視鏡は、上記対物レンズ系を構成する各レンズ成分の口径の最大値は上記固体撮像素子の短辺の長さよりも小さくなるようにしたことを特徴としている。
請求項６に記載の発明によれば、電子内視鏡は、上記対物レンズ系の最大像高に向かう光束に対する開口効率が１より小さくなっていることを特徴としている。
請求項７に記載の発明によれば、電子内視鏡は、上記対物レンズ系は３枚以下のレンズからなることを特徴としている。
請求項８に記載の発明によれば、電子内視鏡は、上記対物レンズ系の前端から上記固体撮像素子の受光面に至るまでの光路中に反射プリズムが配置され、上記固体撮像素子は内視鏡挿入部の長手方向に水平に配置されていることを特徴としている。
請求項９に記載の発明によれば、電子内視鏡は、上記反射プリズムの入射面，射出面，反射面のうち少なくとも１つが光学パワーを備えていることを特徴としている。
請求項１０に記載の発明によれば、電子内視鏡は、上記反射プリズムの入射面又は射出面に光学パワーを備えた光学素子が接合されていることを特徴としている。
請求項１１に記載の発明によれば、電子内視鏡は、先端部が対物レンズ系の入射窓の近傍を最高点とする山形に形成され、照明系がその対物レンズ系の入射窓の周りに少なくとも２つの射出窓を有しており、各射出窓の内側にライトガイドファイバ束が上記対物レンズ系に沿って凸状に湾曲して配設されていることを特徴としている。
請求項１２に記載の発明によれば、電子内視鏡は、上記対物レンズ系は偏心したレンズを含み、上記固体撮像素子は受光面の中央部においてその受光面に垂直に入射する光束よりも受光面に対して傾斜して入射する光束に対して大きな出力を生じるように構成されていることを特徴としている。
請求項１３に記載の発明によれば、電子内視鏡は、上記固体撮像素子は各画素の光の入射側に各々集光部材を備えており、これら集光部材の集光能力が上記固体撮像素子に投影される物体像の中央部から周辺部にいくに従って徐々に大きくなるようにしたことを特徴としている。
請求項１４に記載の発明によれば、電子内視鏡は、上記固体撮像素子は各画素の光の入射側に各々マイクロレンズを備えており、これらマイクロレンズの光軸と各画素の中心との変位がその固体撮像素子に投影される物体像の中央部から周辺部にいくに従って徐々に大きくなるようにしたことを特徴としている。
請求項１５に記載の発明によれば、電子内視鏡は、上記固体撮像素子は各画素の光の入射側に各々マイクロレンズを備えており、これらマイクロレンズの口径がその固体撮像素子に投影される物体像の中央部から周辺部にいくに従って徐々に大きくなるようにしたことを特徴としている。
請求項１６に記載の発明によれば、電子内視鏡は、上記固体撮像素子は各画素の光の入射側に各々マイクロレンズを備えており、これらマイクロレンズの光軸と各画素の中心とが固体撮像素子に投影される物体像の中央部において変位しており、この変位は固体撮像素子の一方の側へ行くほど大きく他方へ行く程小さくなっていることを特徴としている。
請求項１７に記載の発明によれば、電子内視鏡は、上記対物レンズ系は屈折力を有するレンズが３枚以下あるいは３群以下であって、次の条件式を満足することを特徴としている。
１．５＜Ｌ／ｆ＜４
Ｌ：射出瞳位置から像面までの空気換算長
ｆ：焦点距離
請求項１８に記載の発明によれば、電子内視鏡は、次の条件式を満足することを特徴としている。
Ｌ′／ｆ＜１．５
Ｌ′：射出瞳位置から明るさ絞りまでの空気換算長
ｆ：焦点距離
請求項１９に記載の発明によれば、電子内視鏡は、上記対物レンズ系は物体側から順に第１レンズと第２レンズと第３レンズ群とからなり、第３レンズ群は接合レンズであって、その接合面は像側に凸であることを特徴としている。
請求項２０に記載の発明によれば、電子内視鏡は、ＣＣＤカバーガラスにレンズ又は平行平面板が接着されていて、次の条件式を満足することを特徴としている。
φ／２＜１．２×ＩＨ
φ：ＣＣＤカバーガラスに接着したレンズまたは平行平面板の外径
ＩＨ：最大像高
請求項２１に記載の発明によれば、電子内視鏡は、対物レンズ系と、該対物レンズ系により形成された像を受光面で受けるように構成された固体撮像素子と、を含む電子内視鏡において、前記固体撮像素子は複数の感光体が配列されてなり、前記対物レンズ系の光軸上に配置された感光体を中心に、周辺部に配置された感光体ほど感度が高いことを特徴としている。